(57)【特許請求の範囲】
【請求項１】
洗浄、すすぎ時に内槽と外槽の間に水が存在しない洗濯機に用いられ、洗濯機が、槽側壁の下部に孔の存在しない内槽（１）を含む洗濯機の排水構造であって、
前記排水構造はボールバルブ（３３）及び駆動装置を含み、前記内槽（１）の底壁には排水口が設けられ、ボールバルブ（３３）の給水口端が排水口と連通しており、前記ボールバルブ（３３）は駆動装置により駆動されて、洗浄及びすすぎ過程では閉弁し、排水時には開弁し、
前記ボールバルブ（３３）は第１バルブレバー（３０）と第２バルブレバー（３１）を含み、前記駆動装置は、第１バルブレバー（３０）が９０°回動してボールバルブ（３３）を開弁するよう駆動するとともに、第２バルブレバー（３１）が９０°回動してボールバルブ（３３）を閉弁するよう駆動し、
前記洗濯機は、内槽（１）の外部に同軸に取り付けられる外槽（１３）を含み、
前記駆動装置は、外槽（１３）の底壁に取り付けられる第１レバーストッパユニット（１６）と第２レバーストッパユニット（１７）を含み、
前記内槽（１）が順方向に回動すると、第１バルブレバー（３０）が第１レバーストッパユニット（１６）に阻まれて逆方向へ９０°回動し、ボールバルブ（３３）を開弁する一方、内槽（１）が逆方向に回動すると、第２バルブレバー（３１）が第２レバーストッパユニット（１７）に阻まれて順方向に９０°回動し、ボールバルブ（３３）を閉弁することを特徴とする構造。
【請求項２】
前記ボールバルブ（３３）はバルブ筐体と球体を含み、球体は回動可能にバルブ筐体の内部に設けられ、前記第１バルブレバー（３０）と第２バルブレバー（３１）は、ヒンジ（３２）を介してボールバルブ（３３）の球体に接続されていることを特徴とする請求項１記載の洗濯機の排水構造。
【請求項３】
前記第１バルブレバー（３０）と第２バルブレバー（３１）の長さは、第１バルブレバー（３０）が、第１レバーストッパユニット（１６）により妨げられて逆方向へ９０°回動した後に第１レバーストッパユニット（１６）から分離し、第２バルブレバー（３１）が、第２レバーストッパユニット（１７）により妨げられて順方向へ９０°回動した後に第２レバーストッパユニット（１７）から分離するような長さとされることを特徴とする請求項１記載の洗濯機の排水構造。
【請求項４】
前記第１レバーストッパユニット（１６）と第２レバーストッパユニット（１７）は、上下に運動可能なレバーストッパ（２３）をそれぞれ含み、
第１レバーストッパユニット（１６）のレバーストッパ（２３）が上方への運動時に第１バルブレバー（３０）のみを妨げるよう、前記第１レバーストッパユニット（１６）は第２レバーストッパユニット（１７）の外側に設けられ、第１バルブレバー（３０）の長さは第２バルブレバー（３１）の長さよりも長く、
第２レバーストッパユニット（１７）のレバーストッパ（２３）が上方への運動時に第２バルブレバー（３１）のみを妨げるよう、前記第２レバーストッパユニット（１７）のレバーストッパ（２３）の長さは、第１レバーストッパユニット（１６）のレバーストッパ（２３）の長さよりも短く、第２バルブレバー（３１）と外槽（１３）の底壁との距離は、第１バルブレバー（３０）と外槽（１３）の底壁との距離よりも短いことを特徴とする請求項１記載の洗濯機の排水構造。
【請求項５】
前記第１レバーストッパユニット（１６）及び第２レバーストッパユニット（１７）は、いずれもレバーストッパ（２３）、ナット（２４）、密封カバー（２５）、固定ベース（２６）及び圧縮ばね（２７）を含み、前記レバーストッパ（２３）は外槽（１３）の底壁を貫通しており、レバーストッパ（２３）の上部は内槽（１）と外槽（１３）の間に位置し、下部は外槽（１３）の底壁の外部に位置し、前記密封カバー（２５）はレバーストッパ（２３）の上部を覆うとともにレバーストッパ（２３）の運動に伴って伸縮可能であり、密封カバー（２５）の一端はナット（２４）を介してレバーストッパ（２３）に固定され、他端は固定ベース（２６）を介して外槽（１３）の底壁に固定されるとともに密封しており、前記圧縮ばね（２７）はレバーストッパ（２３）の下部に覆設されることを特徴とする請求項１載の洗濯機の排水構造。
【請求項６】
前記レバーストッパ（２３）の下端端部には、圧縮ばね（２７）の一端に当接するストッパナット（２９）が設けられ、前記圧縮ばね（２７）は外槽（１３）の底壁とストッパナット（２９）の間に設けられることを特徴とする請求項５記載の洗濯機の排水構造。
【請求項７】
前記外槽（１３）の底壁には凹溝構造（１５）が設けられ、前記第１レバーストッパユニット（１６）と第２レバーストッパユニット（１７）は凹溝構造（１５）に取り付けられ、前記凹溝構造（１５）には外槽排水口（１４）が設けられることを特徴とする請求項１記載の洗濯機の排水構造。
【請求項８】
前記駆動装置は、押圧板（２０）、ブラケット（２１）、牽引バー（２２）及びトラクションモータ（１９）を更に含み、ブラケット（２１）は外槽（１３）の底壁外側に固定され、牽引バー（２２）は回動可能にブラケット（２１）に装着され、牽引バー（２２）の一端はトラクションモータ（１９）に接続され、他端は押圧板（２０）に固定接続され、押圧板（２０）の両端はそれぞれ第１レバーストッパユニット（１６）と第２レバーストッパユニット（１７）を押圧しており、
前記牽引バー（２２）と押圧板（２０）は、トラクションモータ（１９）に牽引されてブラケット（２１）周りに回動し、押圧板（２０）の一端が上昇すると、第１レバーストッパユニット（１６）が上方に運動するよう押し上げられ、押圧板（２０）の他端が下降すると、第２レバーストッパユニット（１７）が下方に運動することを特徴とする請求項１記載の洗濯機の排水構造。
【発明の詳細な説明】
【技術分野】
【０００１】
本発明は洗濯機の技術分野に関し、具体的には、洗濯機の排水構造に関する。
【背景技術】
【０００２】
生活水準の向上に伴って洗濯機に対する要求は高まる一方であり、単純な洗濯ではもはや利用者のニーズを満たすことはできなくなっている。特に、エネルギーと発展が社会発展におけるテーマとなっていることから、洗濯機については基本的な洗濯ニーズを満たすだけでなく、省エネもまた重要な評価要素となっている。通常のパルセータ洗濯機の場合、注水時に内槽と外槽の間にも大量の水が存在するが、洗浄時には内槽以外の水は無駄となってしまう。そこで、従来の節水型洗濯機では、内槽の槽壁下部に脱水用排水孔を設けないことで、注水時には内槽にのみ水を存在させ、内槽と外槽の間に水を溜めないようにしている。こうすることで、洗濯機内の水を十分に活用できるほか、他の洗濯機と比べて注水時の水使用量が４０%抑えられ、洗剤の節約にもなる。また、内槽への注水量が減少することから、洗濯機への負荷がある程度軽減し、より省電力ともなる。
【０００３】
しかし、このような節水型洗濯機にも欠点はある。内槽に脱水用排水孔が設けられていないため、脱水時に迅速に排水できず、脱水の開始が難しくなる。また、脱水開始時の振動が大きくなるほか、脱水時間も長引いてしまう。こうしたことから、エネルギー効率が低下し、脱水後の衣類含水率が高くなる。
【０００４】
そこで、このような洗濯機における排水問題をいかに良好に解決し、ユーザの使用感を高めるかが極めて重要となっている。
【発明の概要】
【発明が解決しようとする課題】
【０００５】
上記の課題を解決するために、本発明は洗濯機の排水構造を提供し、具体的には、以下の技術方案を採用する。
【課題を解決するための手段】
【０００６】
洗浄、すすぎ時に内槽と外槽の間に水が存在しない洗濯機に用いられ、洗濯機が、槽側壁の下部に孔の存在しない内槽を含む洗濯機の排水構造であって、前記内槽の底壁には排水口が設けられ、ボールバルブの給水口端が排水口と連通しており、前記ボールバルブは駆動装置により駆動されて、洗浄及びすすぎ過程では閉弁し、排水時には開弁する。
【０００７】
更に、前記ボールバルブは第１バルブレバーと第２バルブレバーを含み、前記駆動装置は、第１バルブレバーが９０°回動してボールバルブを開弁するよう駆動するとともに、第２バルブレバーが９０°回動してボールバルブを閉弁するよう駆動する。
【０００８】
更に、前記ボールバルブはバルブ筐体と球体を含み、球体は回動可能にバルブ筐体の内部に設けられ、前記第１バルブレバーと第２バルブレバーは、ヒンジを介してボールバルブの球体に接続されている。
【０００９】
更に、前記洗濯機は、外槽の内部に同軸に取り付けられる内槽を含み、前記駆動装置は、外槽の底壁に取り付けられる第１レバーストッパユニットと第２レバーストッパユニットを含み、前記内槽が順方向に回動すると、第１バルブレバーが第１レバーストッパユニットに阻まれて逆方向へ９０°回動し、ボールバルブを開弁する一方、内槽が逆方向に回動すると、第２バルブレバーが第２レバーストッパユニットに阻まれて順方向に９０°回動し、ボールバルブを閉弁する。
【００１０】
更に、前記第１バルブレバーと第２バルブレバーの長さは、第１バルブレバーが、第１レバーストッパユニットにより妨げられて逆方向へ９０°回動した後に第１レバーストッパユニットから分離し、第２バルブレバーが、第２レバーストッパユニットにより妨げられて順方向へ９０°回動した後に第２レバーストッパユニットから分離するような長さとされる。
【００１１】
更に、前記第１レバーストッパユニットと第２レバーストッパユニットは、上下に運動可能なレバーストッパをそれぞれ含み、第１レバーストッパユニットのレバーストッパが上方への運動時に第１バルブレバーのみを妨げるよう、前記第１レバーストッパユニットは第２レバーストッパユニットの外側に設けられ、第１バルブレバーの長さは第２バルブレバーの長さよりも長く、第２レバーストッパユニットのレバーストッパが上方への運動時に第２バルブレバーのみを妨げるよう、前記第２レバーストッパユニットのレバーストッパの長さは、第１レバーストッパユニットのレバーストッパの長さよりも短く、第２バルブレバーと外槽の底壁との距離は、第１バルブレバーと外槽の底壁との距離よりも短い。
【００１２】
更に、前記第１レバーストッパユニット及び第２レバーストッパユニットは、いずれもレバーストッパ、ナット、密封カバー、固定ベース及び圧縮ばねを含み、前記レバーストッパは外槽の底壁を貫通しており、レバーストッパの上部は内槽と外槽の間に位置し、下部は外槽の底壁の外部に位置し、前記密封カバーはレバーストッパの上部を覆うとともにレバーストッパの運動に伴って伸縮可能であり、密封カバーの一端はナットを介してレバーストッパに固定され、他端は固定ベースを介して外槽の底壁に固定されるとともに密封しており、前記圧縮ばねはレバーストッパの下部に覆設される。
【００１３】
更に、前記レバーストッパの下端端部には、圧縮ばねの一端に当接するストッパナットが設けられ、前記圧縮ばねは外槽の底壁とストッパナットの間に設けられる。
【００１４】
更に、前記外槽の底壁には凹溝構造が設けられ、前記第１レバーストッパユニットと第２レバーストッパユニットは凹溝構造に取り付けられ、前記凹溝構造には外槽排水口が設けられる。
【００１５】
更に、前記駆動装置は、押圧板、ブラケット、牽引バー及びトラクションモータを更に含み、ブラケットは外槽の底壁外側に固定され、牽引バーは回動可能にブラケットに装着され、牽引バーの一端はトラクションモータに接続され、他端は押圧板に固定接続され、押圧板の両端はそれぞれ第１レバーストッパユニットと第２レバーストッパユニットを押圧しており、前記牽引バーと押圧板は、トラクションモータに牽引されてブラケット周りに回動し、押圧板の一端が上昇すると、第１レバーストッパユニットが上方に運動するよう押し上げられ、押圧板の他端が下降すると、第２レバーストッパユニットが下方に運動する。
【発明の効果】
【００１６】
本発明では、内槽の側壁上部周りにのみ脱水用排水孔が設けられている。脱水用排水孔は、洗濯機内槽の最大給水量以上の位置に設けられており、脱水時に出た水がここから排出される。内槽側壁のその他の部位は封止設計となっており、いかなる貫通孔構造も設けられていない。また、内槽の底壁には比較的孔径の大きな排水口が設けられ、洗浄及びすすぎ過程で閉止され、排水時に開放されることを除き、内槽底壁のその他の部位は封止設計とされる。
【００１７】
本発明の排水構造は内槽を有する洗濯機に適用される。内槽の底壁には排水口が設けられ、排水構造のボールバルブが駆動装置により駆動されることで、洗浄及びすすぎ過程では閉弁し、排水時には開弁する。そこで、本発明の排水構造では、ボールバルブの開閉を利用して、駆動装置の駆動により排水口を開閉することで、内槽の側壁下部に孔が存在しない洗濯機の排水を実現する。更には、構造が単純で取り付けやすく、市場での普及価値に優れている。
【図面の簡単な説明】
【００１８】
【図１】図１は、本発明の排水構造が内槽底部に取り付けられた場合の斜視図である。
【図２】図２は、本発明の排水構造が内槽底部に取り付けられた場合の底面図である。
【図３】図３は、本発明の排水構造が外槽底部に取り付けられた場合の斜視図である。
【図４】図４は、本発明の図３の平面図である。
【図５】図５は、本発明の図３の断面図である。
【図６】図６は、本発明の第１レバーストッパユニットと第２レバーストッパユニットの斜視図である。
【図７】図７は、本発明の第１レバーストッパ又は第２レバーストッパの断面図である。
【発明を実施するための形態】
【００１９】
以下に、図面を組み合わせて本発明における洗濯機の排水構造につき詳述する。
【００２０】
図１及び図２に示すように、洗浄、すすぎ時に内槽と外槽の間に水が存在しない洗濯機に用いられる洗濯機の排水構造において、洗濯機は、槽側壁下部に孔が存在しない内槽１を含む。前記排水構造は、ボールバルブ３３及び駆動装置を含む。前記内槽１の底壁には排水口が設けられ、ボールバルブ３３の給水端口が排水口に連通している。前記ボールバルブ３３は駆動装置により駆動されて、洗浄及びすすぎ過程では閉弁し、排水時には開弁する。
【００２１】
本発明では、内槽１の側壁上部周りにのみ脱水用排水孔が設けられている。脱水用排水孔は、洗濯機内槽の最大給水量以上の位置に設けられており、脱水時に出た水がここから排出される。内槽側壁のその他の部位は封止設計となっており、いかなる貫通孔構造も設けられていない。また、内槽１の底壁には比較的孔径の大きな排水口が設けられ、洗浄及びすすぎ過程で閉止され、排水時に開放されることを除き、内槽底壁のその他の部位は封止設計とされる。
【００２２】
ボールバルブは円形経路を備える球体を開閉部材とし、球体がバルブレバーの回動に伴って開閉動作を実現するものである。ボールバルブの開閉部材は孔を備える球体であって、経路と垂直な軸線周りに回転することで経路を開閉するとの目的を達する。ボールバルブは、主としてパイプや機器媒体の開閉に用いられる。そこで、本発明における洗濯機の排水構造では、ボールバルブの動作原理に基づき、駆動装置によりボールバルブ３３のバルブレバーを駆動することで、排水口上に取り付けられたボールバルブ３３の開閉を実現する。
【００２３】
本発明における洗濯機の排水構造で採用するボールバルブには、主として次のような利点がある。
１．頻繁な開閉操作が可能であり、開閉が迅速且つ容易である。
２．排水時の流体抵抗が小さい。
３．構造が単純で体積が相対的に小さく、軽量なため、メンテナンスが容易である。
４．密封性に優れる。
５．取り付け方向に規制がなく、媒体の流動方向を任意とできる。
６．振動がなく、ノイズが小さい。
【００２４】
本発明の排水構造は、洗浄、すすぎ時に内槽と外槽の間に水が存在しない洗濯機に適用される。内槽１の底壁には排水口が設けられ、排水構造のボールバルブ３３が駆動装置により駆動されることで、洗浄及びすすぎ過程では閉弁し、排水時には開弁する。そこで、本発明の排水構造では、ボールバルブの開閉を利用して、駆動装置の駆動により排水口を開閉することで排水を実現する。更には、構造が単純で取り付けやすく、市場での普及価値に優れている。
【００２５】
本発明の好ましい実施形態として、前記ボールバルブ３３は第１バルブレバー３０と第２バルブレバー３１を含む。前記駆動装置は、第１バルブレバー３０が９０°回動してボールバルブ３３を開弁するよう駆動するとともに、第２バルブレバー３１が９０°回動してボールバルブ３３を閉弁するよう駆動する。
【００２６】
本発明のボールバルブ３３は、開弁と閉弁をそれぞれ制御する２つのバルブレバーを含む。これによれば、駆動装置を制御するだけで、第１バルブレバー３０と第２バルブレバー３１を回動するようそれぞれ制御して、ボールバルブ３３の開閉を実現可できる。
【００２７】
具体的に、前記ボールバルブ３３はバルブ筐体と球体を含み、球体が回動可能にバルブ筐体の内部に設けられている。前記第１バルブレバー３０と第２バルブレバー３１は、ヒンジ３２を介してボールバルブ３３の球体に接続されている。
【００２８】
ここで、本発明における第１バルブレバー３０と第２バルブレバー３１の回動をどのように実現し、ボールバルブ３３を開閉するかが本発明の要点となる。そこで、本発明では以下の技術方案を用いて第１バルブレバー３０と第２バルブレバー３１を回動するよう駆動する。
【００２９】
図１、図３、図４及び図５に示すように、前記洗濯機は、外槽１３の内部に同軸に取り付けられる内槽１を含む。
【００３０】
本発明で述べる駆動装置は、外槽１３の底壁に取り付けられる第１レバーストッパユニット１６と第２レバーストッパユニット１７を含む。
【００３１】
前記内槽１が順方向に回動すると、第１バルブレバー３０が第１レバーストッパユニット１６に阻まれて逆方向へ９０°回動し、ボールバルブ３３を開弁する。一方、内槽１が逆方向に回動すると、第２バルブレバー３１が第２レバーストッパユニット１７に阻まれて順方向に９０°回動し、ボールバルブ３３を閉弁する。
【００３２】
本発明で記載する順方向の回動又は逆方向の回動とは、内槽１の回動を特定方向に限定するものではなく、内槽１が排水時に双方向への回転を要することを限定するものにすぎない。例えば、時計回りの回動を順方向とする場合には反時計回りの回動が逆方向の回動となり、逆もまた同様となる。本発明の図面では、内槽１の時計回りの回動を順方向とし、内槽１の反時計回りの回動を逆方向とする。本発明の内槽１は双方向に回動することで、排水前にボールバルブ３３を開弁し、排水完了後にボールバルブ３３を閉弁する。
【００３３】
本発明の好ましい実施形態として、前記第１レバーストッパユニット１６と第２レバーストッパユニット１７は、上下に運動可能なレバーストッパ２３をそれぞれ含む。前記第１レバーストッパユニット１６と第２レバーストッパユニット１７におけるレバーストッパ２３は、それぞれ独立して第１バルブレバー３０及び第２バルブレバー３１に作用し、作用対象を誤った場合にはボールバルブ３３の開閉を実現できない。
【００３４】
そのため、前記第１レバーストッパユニット１６は第２レバーストッパユニット１７の外側に設けられ、第１バルブレバー３０の長さは第２バルブレバー３１の長さよりも長くなっている。これにより、第１レバーストッパユニット１６のレバーストッパ２３は、上方への運動時に第１バルブレバー３０のみを妨げることになる。
【００３５】
このように、第１レバーストッパユニット１６を第２バルブレバー３１の自由端の外側に設けることで、第１レバーストッパユニット１６は上方への運動時に第２バルブレバー３１を妨げることなく、第１バルブレバー３０のみを妨げることが可能となる。そして、第１バルブレバー３０は妨げられることでボールバルブ３３の球体経路を連通させて、ボールバルブ３３を開弁する。
【００３６】
前記第２レバーストッパユニット１７のレバーストッパ２３の長さは、第１レバーストッパユニット１６のレバーストッパ２３の長さよりも短い。また、第２バルブレバー３１と外槽１３の底壁との距離は、第１バルブレバー３０と外槽１３の底壁との距離よりも短い。これにより、第２レバーストッパユニット１７のレバーストッパ２３は、上方への運動時に第２バルブレバー３１のみを妨げることになる。
【００３７】
このように、第２レバーストッパユニット１７のレバーストッパ２３による上方への運動高さは第２バルブレバー３１のみを妨げ、第１バルブレバー３０を妨げることはない。そして、第２バルブレバー３１は妨げられることでボールバルブ３３の球体経路を塞ぎ、ボールバルブ３３を閉弁する。
【００３８】
本発明で記載する第１バルブレバー３０と第２バルブレバー３１の長さは、第１バルブレバー３０が、第１レバーストッパユニット１６により妨げられて逆方向へ９０°回動した後に第１レバーストッパユニット１６から分離し、第２バルブレバー３１が、第２レバーストッパユニット１７により妨げられて順方向へ９０°回動した後に第２レバーストッパユニット１７から分離するような長さとされる。
【００３９】
このように、主として第１バルブレバー３０と第２バルブレバー３１が所定の位置まで回動してから、ようやくボールバルブ３３の開閉が可能となる。また、ボールバルブ３３の開閉完了後に、第１バルブレバー３０と第２バルブレバー３１が所定の位置まで回動しているにも関わらず再び回動することはない。また、第１レバーストッパユニット１６と第２レバーストッパユニット１７が第１バルブレバー３０及び第２バルブレバー３１と分離しなければ、内槽１の運転への影響は避けられない。
【００４０】
そのため、第１バルブレバー３０と第２バルブレバー３１の自由端は、いずれも内槽１の辺縁を超えて設置してはならない。
【００４１】
図６及び図７に示すように、本発明で記載する第１レバーストッパユニット１６と第２レバーストッパユニット１７は、いずれもレバーストッパ２３、ナット２４、密封カバー２５、固定ベース２６及び圧縮ばね２７を含み、前記レバーストッパ２３は外槽１３の底壁を貫通している。本発明の第１レバーストッパユニット１６及び第２レバーストッパユニット１７のレバーストッパ２３は、第１バルブレバー３０及び第２バルブレバー３１を妨げるよう上下に運動可能である。レバーストッパ２３の上部は内槽１と外槽１３の間に位置し、下部は外槽１３の底壁の外部に位置している。前記密封カバー２５はレバーストッパ２３の上部を覆っており、且つレバーストッパ２３の運動に伴って伸縮可能である。密封カバー２５の一端はナット２４を介してレバーストッパ２３に固定され、他端は固定ベース２６を介して外槽１３の底壁に固定されるとともに密封している。これにより、第１レバーストッパユニット１６及び第２レバーストッパユニット１７と外槽１３との間が確実に密封され、漏水が防止される。
【００４２】
本発明で記載する圧縮ばね２７は、レバーストッパ２３の下部に設けられる。前記レバーストッパ２３の下端端部には、圧縮ばね２７の一端に当接するストッパナット２９が設けられる。前記圧縮ばね２７は、外槽１３の底壁とストッパナット２９の間に設けられる。
【００４３】
更に、前記外槽１３には固定ベース２８が取り付けられており、前記レバーストッパ２３は固定ベース２８を貫通している。圧縮ばね２７は、固定ベース２８とストッパナット２９の間に設けられる。これより、圧縮ばね２７が圧力を受けた際に外槽１３を付勢し、外槽１３が頻繁に圧力を受けることで損傷するとの事態を防止可能となる。
【００４４】
本発明のボールバルブ３３は内槽１と外槽１３の間に取り付けられる。そこで、十分な取り付け空間を提供すべく、前記外槽１３の底壁には凹溝構造１５が設けられ、前記第１レバーストッパユニット１６と第２レバーストッパユニット１７が凹溝構造１５に取り付けられる。また、前記凹溝構造１５には外槽排水口１４が設けられる。
【００４５】
本発明の第１レバーストッパユニット１６及び第２レバーストッパユニット１７におけるレバーストッパ２３の上下運動を実現すべく、本発明の好ましい実施形態として、図３、図４及び図５に示すように、前記駆動装置は、押圧板２０、ブラケット２１、牽引バー２２及びトラクションモータ１９を更に含む。ブラケット２１は外槽１３の底壁外側に固定され、牽引バー２２は回動可能にブラケット２１に装着される。牽引バー２２の一端はトラクションモータ１９に接続され、他端は押圧板２０に固定接続される。押圧板２０の両端は、それぞれ第１レバーストッパユニット１６及び第２レバーストッパユニット１７を押圧している。
【００４６】
前記牽引バー２２と押圧板２０は、トラクションモータ１９に牽引されてブラケット２１周りに回動する。押圧板２０の一端が上昇すると、第１レバーストッパユニット１６が上方に運動するよう押し上げられ、押圧板２０の他端が下降すると、第２レバーストッパユニット１７が下方に運動する。
【００４７】
本発明の好ましい実施形態として、前記トラクションモータ１９は牽引紐１８によって牽引バー２２に接続される。
【００４８】
以上は本発明の好ましい実施例にすぎず、本発明をなんらかの形式に制限するものではない。なお、本発明については好ましい実施例を挙げて上述のように開示したが、本発明はこれらに限定されない。当業者であれば、本発明の技術方案を逸脱しない範囲において、上記で提示した技術内容を利用して若干の変更や追加を行い、均等に変化させた等価の実施例とすることが可能である。しかし、本発明の技術方案の内容を逸脱することなく、本発明の技術的本質に基づいて上記の実施例に対し実施されるあらゆる簡単な修正、等価の変更及び追加は、いずれも本発明の方案の範囲に属する。
【符号の説明】
【００４９】
１    内槽
１３  外槽
１４  外槽排水口
１５  凹溝構造
１６  第１レバーストッパユニット
１７  第２レバーストッパユニット
１８  牽引紐
１９  トラクションモータ
２０  押圧板
２１  ブラケット
２２  牽引バー
２３  レバーストッパ
２４  ナット
２５  密封カバー
２６  固定ベース
２７  圧縮ばね
２８  固定ベース
２９  ストッパナット
３０  第１バルブレバー
３１  第２バルブレバー
３２  ヒンジ
３３  ボールバルブ
【図１】
0006614511.tif 000002
【図２】
0006614511.tif 000003
【図３】
0006614511.tif 000004
【図４】
0006614511.tif 000005
【図５】
0006614511.tif 000006
【図６】
0006614511.tif 000007
【図７】
0006614511.tif 000008